(57)【要約】【課題】使用前には粘着シート上に軟膏薬をパッドと別にして変質や硬化を生じさせることなく設けておき、使用時に該軟膏薬をパッド上に簡単に付着、塗布して使用することができる救急用絆創膏を提供する。【解決手段】上面中央にパッド３を貼着している粘着シート１と平面形状が同一の成形シート４の中央部に、上方に向かって凹部５を膨出形成すると共にこの凹部５の中央部をさらに上方に向かって膨出して軟膏薬収容室６を成形し、この軟膏薬収容室６を帯状封止フィルム８によって密封した状態でパッド上に重ね合わせて成形シート４の外周部下面を粘着シート１に剥離可能に貼着し、使用時に成形シート４の一端部に形成している引出口７から帯状封止フィルム８を引き出すことによって軟膏薬収容室６を開封し、該収容室６の上壁面を下方に押圧変形させて内部の軟膏薬10をパッド１上に付着させる。【選択図】図１
2007275302.tif 000002
【特許請求の範囲】
【請求項１】
上面中央部にパッドを貼着している粘着シートと、中央部に上記パッドを被覆可能な大きさを有する凹部を上方に向かって膨出成形していると共にこの凹部の中央部をさらに上方に向かって膨出させて上壁面が下方に向かって撓み変形可能な軟膏薬収容室に成形し且つ上記凹部の開口端の一端から外部に通じるフィルム引出口を形成している成形シートと、この成形シートの上記凹部内に二つ折り状態で配設されてその上側のフィルム部の上面外周部を凹部に剥離可能に貼着することによりその上面中央部で上記軟膏薬収容室内に収容している軟膏薬を密封していると共に下側のフィルム部の端部を凹部から上記引出口内を通じて外部に臨ませた引出片部に形成している帯状の封止フィルムとからなり、上記粘着シート上に上記成形シートをその軟膏薬収容室がパッドの中央部上に位置するように重ね合わせて該成形シートの下面外周部をこの粘着シートの外周部上面に剥離可能に貼着していることを特徴とする救急用絆創膏。
【請求項２】
フィルム引出口は、凹部の開口端の一端から成形シートの一端に亘って、該成形シートの一端部における幅方向の中央部を上方に向かって膨出成形されてなり、このフィルム引出口の端部に帯状の封止フィルムの端部上面を外部に露出させている引出用切欠部を形成していることを特徴とする請求項１に記載の救急用絆創膏。
【請求項３】
帯状の封止フィルムの引出口側の下面と粘着シートの上面との間に離型紙を介在させていることを特徴とする請求項１に記載の救急用絆創膏。
【発明の詳細な説明】
【技術分野】
【０００１】
本発明は、使用時にパッドに軟膏薬を付着させたのち該パッドを創傷口等の患部の皮膚面に貼着して患部の治療等を行うようにした救急用絆創膏の改良に関するものである。
【背景技術】
【０００２】
従来から、創傷部等の患部をより効果的に治療を行う救急用絆創膏として、粘着シート上に貼着しているパッドに軟膏薬を塗布しておき、このパッドを患部に貼着して使用する救急用絆創膏が知られている。例えば、特許文献１に記載したように、上面に軟膏薬を塗布してなるパッドを粘着シートの粘着剤層上に貼着し、このパッドを粘着シートの長さよりも短い長さを有し且つ中央部に上方に向かって膨出成形してなる凹部を有する合成樹脂製の保護カバーによって被覆してその凹部内にパッドを配設した状態で該保護カバーの外周部下面を粘着シートに剥離可能に貼着し、さらに、粘着シートの長さ方向の両端部に剥離紙を貼着してこれらの剥離紙の内端部を上方に折り返して該折り返し端部上に上記保護カバーの両端部を重ね合わせてなる救急用絆創膏が開発されている。
【０００３】
そして、使用に際しては、一方の剥離紙を貼着している粘着シートの端部を下方に折り曲げることによって保護カバーの一端部に指先を引っ掛け易くし、この状態にして該保護カバーの一端部を指先で上方に引き剥がすことによって粘着シートから保護カバーを除去し、しかるのち、両方の剥離紙を剥離すると共にパッドを患部に当てがった状態にして粘着シートを皮膚面に貼着している。
【特許文献１】特開２００１−１０４３６７号公報
【発明の開示】
【発明が解決しようとする課題】
【０００４】
しかしながら、上記のような救急用絆創膏の構造では、軟膏薬は予めパッド上に塗布されているために、この救急用絆創膏を偏平な包装紙袋内に収納しておいても、外気等が粘着シートを通じて、さらには、保護カバーと剥離紙間の隙間を通じてパッドを被覆している保護カバー内に侵入し、パッド上の軟膏薬を変質させたり硬化させてしまって、治療効力を低減させるばかりでなく、使用ができなくなる虞れがあった。また、軟膏薬などを必要としない場合や軟膏薬に代えて他の薬液をパッドに含浸させて使用したい場合などにおいては、パッド上から軟膏薬を除去することが困難であるため、このような使用に対応できないといった問題点があった。
【０００５】
本発明は上記のような問題点に鑑みてなされたもので、その目的とするところは、パッド上に軟膏薬を塗布しておくことなく使用時にパット上への塗布を簡単且つ容易に行えるようにすると共に、不使用時には軟膏薬が変質したり硬化するのを防止した状態にしておくことができ、また、軟膏薬を塗布することなくパッドをそのまま、或いは、所望の薬液を含浸させた状態での使用を可能にし得る救急用絆創膏を提供するにある。
【課題を解決するための手段】
【０００６】
上記目的を達成するために本発明の請求項１に係る救急用絆創膏は、上面中央部にパッドを貼着している粘着シートと、中央部に上記パッドを被覆可能な大きさを有する凹部を上方に向かって膨出成形していると共にこの凹部の中央部をさらに上方に向かって膨出させて上壁面が下方に向かって撓み変形可能な軟膏薬収容室に成形し且つ上記凹部の開口端の一端から外部に通じるフィルム引出口を形成している成形シートと、この成形シートの上記凹部内に二つ折り状態で配設されてその上側のフィルム部の上面外周部を凹部に剥離可能に貼着することによりその上面中央部で上記軟膏薬収容室内に収容している軟膏薬を密封していると共に下側のフィルム部の端部を凹部から上記引出口内を通じて外部に臨ませた引出片部に形成している帯状の封止フィルムとからなり、上記粘着シート上に上記成形シートをその軟膏薬収容室がパッドの中央部上に位置するように重ね合わせて該成形シートの下面外周部をこの粘着シートの外周部上面に剥離可能に貼着した構造を有している。
【０００７】
このように構成した救急用絆創膏において、請求項２に係る発明は、上記フィルム引出口は、凹部の開口端の一端から成形シートの一端に亘って、該成形シートの一端部における幅方向の中央部を上方に向かって膨出成形してなり、このフィルム引出口の端部に帯状の封止フィルムの端部上面を外部に露出させている引出用切欠部を形成していることを特徴とする。
【０００８】
さらに、請求項３に係る発明は、上記帯状の封止フィルムの引出口側の下面と粘着シートの上面との間に離型紙を介在させていることを特徴とする。
【発明の効果】
【０００９】
請求項１に係る発明によれば、上面中央部にパッドを貼着している粘着シートに、中央部にパッド上に対応させて軟膏薬収容室を有する成形シートを重ね合わせて該成形シートの下面外周部を粘着シートの外周部上面に剥離可能に貼着しているので、剥離紙などを使用することなくパッド上の正確な位置に軟膏薬収容室を載置させた状態で粘着シートと成形シートとが貼着した構造となってパッド上から不測に軟膏薬収容室が妄動したり遊離したりすることのない救急用絆創膏を提供することができる。
【００１０】
さらに、上記成形シートは、その中央部に上記パッドを被覆可能な大きさを有する凹部を上方に向かって膨出成形していると共にこの凹部の中央部にさらに上方に向かって軟膏薬収容室を膨出成形してあり、この凹部内に二つ折り状態で配設している帯状の封止フィルムの上側のフィルム部で軟膏薬収容室を密封しているので、成形シートや帯状の封止フィルムを非通気性の合成樹脂シートや合成樹脂フィルムから形成しておくことによって、軟膏薬を収容室内に確実に密封した状態に保持させて長期間に亘り変質したり硬化したりするのを確実に防止しておくことができ、従って、使用時には、この軟膏薬をパッド上に塗布して効力を低下させることなく患部の治療に供することができる。
【００１１】
さらに、成形シートに上記凹部を上方に向かって膨出成形して、この凹部内に上記帯状の封止フィルムと共に粘着シート上のパッドを収容した構造としているので、粘着シート上に成形シートを重ね合わせて貼着しているにもかかわらず、該パッドや帯状の封止フィルムおよび軟膏薬収容室に無理な挟圧力を作用させることなく、パッドを凹部内に所定の形態でもって安定した状態で収納、保持しておくことができる。
【００１２】
その上、成形シートの一端部に設けている引出口から帯状封止フィルムの一端部を引っ張ることによって、軟膏薬収納室の下端開口部を封止している該帯状封止フィルムを剥離させながら徐々に開封していくことができると共に帯状封止フィルムは成形シートの凹部内に配設されているので、軟膏薬収容室の開封時におけるパッドと該帯状封止フィルムとの摺擦力を極めて小さくしながら引き出すことができ、従って、この帯状封止フィルムを僅かな引張力でもって軽く引っ張るだけで軟膏薬収容室を円滑に開封することができる。
【００１３】
そして、開封後に、軟膏薬収容室の上壁面を下方に押圧することにより、該収容室内の軟膏薬をパッド上に正確に付着、塗布することができ、しかるのち、成形シートを粘着シート上から剥離、除去することによって患部への貼着使用が可能となる。また、帯状の封止フィルムを引き剥がすことなく、軟膏薬収納室を該封止フィルムにより密封したまま成形シートを除去することにより、軟膏薬収容室内の軟膏薬が付着、塗布されていないパッドをそのまま使用することもできると共に、軟膏薬に代えて所望の薬液等をパッドに含浸させたのち、粘着シートを患部に貼着することによる使用も可能となる。
【００１４】
請求項２に係る発明によれば、上記フィルム引出口は、凹部の開口端の一端から成形シートの一端に亘って、該成形シートの一端部における幅方向の中央部を上方に向かって膨出成形されてなるので、帯状封止フィルムを引出口から小さな引張力によって円滑に引き出すことができると共に、このフィルム引出口の端部に帯状の封止フィルムの端部上面を外部に露出させている引出用切欠部を形成しているので、不使用時には帯状封止フィルムの端部によって形成している引出片部を上記引出口から外部に突出させることなく、この引出口内に没入させた状態で配設しておくことができ、従って、帯状封止フィルムが不測に引っ張られて軟膏薬収容室を開封するのを防止しておくことができると共に、使用時には該引出用切欠部に指先を押しつけた状態で引出口に沿って引出し方向に張引することにより、容易に軟膏薬収容室を開封することができる。
【００１５】
請求項３に係る発明によれば、上記帯状封止フィルムの引出口側の下面と粘着シートの上面との間に離型紙を介在させているので、帯状封止フィルムを引き出して軟膏薬収容室内の薬液をパッドに含浸させたのち、この離型紙を設けている部分から成形シートを簡単且つ確実に剥離、除去することができ、さらに、この離型紙によって粘着シートの粘着シートの端部が被覆されているから、この部分を指先で摘んで離型紙を設けていない粘着シートの端部側の粘着面を患部近傍部の皮膚面に貼着したのちパッドを患部上に貼着する作業が簡単且つ正確に行うことができる。
【発明を実施するための最良の形態】
【００１６】
次に、本発明の具体的な実施の形態を図面について説明すると、図１は救急用絆創膏の縦断側面図、図２は斜視図、図３は展開斜視図で、これらの図において、救急用絆創膏の基体となる粘着シート１は、柔軟性を有する薄い合成樹脂製シート又は不織布、織布、紙等からなる一定幅と一定長さを有する長方形状のシート片の上面全面に粘着剤層２を層着してなり、この粘着シート１の上面中央部に、殺菌消毒された一定厚みを有する不織布又はガーゼ等の布帛からなる平面矩形状のパッド３を貼着してあり、このパッド３を粘着シート１の粘着剤層２に剥離可能に貼着した成形シート４の中央部に設けている凹部５によって被覆している。
【００１７】
この成形シート４は、上記粘着シート１と同一幅、同一長さ、即ち、粘着シート１と同一大きさの平面長方形状に形成された透明ないしは半透明のポリプロピレン等の比較的剛性を有する合成樹脂シートからなり、その中央部に上記パッド３の平面形状よりも一回り大きい平面形状とパッド３の厚みに略等しい高さ（深さ）を有してパッド３を被覆可能な大きさの上記凹部５を上方に向かって膨出成形していると共に、この凹部５の中央部をさらに上方に向かって膨出させてパッド３よりも平面形状が一回り小さい軟膏薬収容室６を形成してあり、この凹部５の下端開口部の一端部から成形シート４の一端に亘ってこの凹部５と同一幅で且つ高さ（深さ）が後述する帯状封止フィルム８の厚みよりも大きい高さでもって外部に通じる引出口７を形成している。即ち、粘着シート１と成形シート４との長さ方向の一端部における幅方向の中央部の対向面間に、凹部５の下端開口部の一端から外部に連通する帯状封止フィルム８の引出口７を形成している。
【００１８】
さらに、この引出口７の開口端部における成形シート４の一端部中央を半円形状に切欠いて帯状封止フィルム８の後述する引出片部8cの上面を露出させた引出用切欠部7aに形成している。また、成形シート４における上記軟膏薬収容室６の上壁面は、指先による押圧力によって下方に向かって撓み変形が可能に形成されている。
【００１９】
上記帯状の封止フィルム８は柔軟で引張強度の大きい薄肉の可撓性合成樹脂フィルムからなり、その幅が上記凹部５の対向側壁面間の幅に略等しい幅か又は僅かに狭い幅を有し、且つ、長さが凹部５の長さの２倍よりも上記引出口７の長さに相当する長さだけ長く形成されてあり、この帯状封止フィルム８の一端部が引出口７の長さに略等しい長さ部分だけ突出した状態となるように該帯状封止フィルム８を長さ方向の中央部から二つ折りし、突出部を有していない長さ部分を上側にし且つ屈折部を成形シート４の長さ方向の他端部側に向けた状態にしてこの二つ折り状態の帯状封止フィルム８を凹部５内に配設し、その上側フィルム部8aの上面外周部を軟膏薬収容室６の下端開口縁から四方に水平状に屈折形成されている凹部５の上端外周壁下面に粘着剤層９を介して剥離可能に貼着して該上側フィルム部8aの上面中央部で上記軟膏薬収容室６内に収容されている軟膏薬10を密封している。
【００２０】
さらに、上側フィルム部8aの下面に屈折部を介して重ね合わせている下側フィルム部8bにおける一端部、即ち、重ね合わせ部から突出している端部を引出片部8cとしてこの引出片部8cを、凹部５の開口下端の一端から上記引出口７内に挿入し、その先端部を引出口７から外部に突出させることなく上面を上記引出用切欠部7aに露出させた状態で引出口７内から引出し可能に配設している。
【００２１】
また、上記粘着シート１上の中央部に貼着しているパッド３の一端面から粘着シート１の一端間における粘着剤層２を剥離可能な離型紙11により被覆してあり、上記帯状封止フィルム８の下側フィルム部8bは粘着シート１の粘着剤層２に付着させることなくこの離型紙11上を介してその引出片部8cを引出口７内に挿入している。なお、離型紙11はパッド３の一端面に突き合わせ状態に対向させている他端部を上側に折り返して摘まみ片11a に形成している。
【００２２】
このように、成形シート４に設けている軟膏薬収容室６を凹部５内に二つ折り状態で配設した帯状封止フィルム８の上側フィルム部8aによって密封し、この状態で該成形シート４の一半部側を上記離型紙11とこの離型紙11上の帯状封止フィルム8bの一半部を介して粘着シート１上に重ね合わせると共に、成形シート４の他半部外周下面をパッド３の両側端面から外側方に露出している粘着シート１の両側部の粘着剤層２とパッド３の他端面から外方に露出している粘着剤層２の他端部に剥離可能に貼着することにより、凹部５によってパッド３を被覆し、且つ、このパッド３の中央部上に帯状封止フィルム８を介して軟膏薬収容室６を載置状態で配設した救急用絆創膏を構成している。
【００２３】
このように構成した救急用絆創膏は、使用前においては帯状封止フィルム８によって密封されている軟膏薬収容室６を有する成形シート４は、その他半部側の３方の外周縁部の下面を粘着シート１の粘着剤層２に貼着されているので、成形シート４に設けている該軟膏薬収容室６は粘着シート１から外れたりする虞れはなく、粘着シート１上に貼着したパッド３上に重ね合わされた形態を保持しておくことができると共に、パッド３は成形シート４の凹部５内に受け入れられているので、その上面外周部を帯状封止フィルム８を介して軟膏薬収容室６の開口下端の外周縁部に軽く押し付けた状態でパッド３の中央部上に軟膏薬収容室６を位置させておくことができる。さらに、成形シート４は剛性を有する合成樹脂シートからなるので、容易に折れ曲がったり皺状に変形したりすることなく安定した所定の形態を保持しておくことができる。
【００２４】
次に、使用に際しては成形シート４の引出口７における開口端部の一端部上面に形成した切欠部7aを通じて外部に露出している帯状封止フィルム８の引出片部8cを引出口７と共に指先で摘みながら外方に引っ張ると、該引出片部8cが引出口７の開口端から外部に引き出されるからこの引き出された端部を摘んでさらに引出片部8cを外方に引っ張ると、図４に示すように、帯状封止フィルム８の下側フィルム部8bがパッド３上を摺動しながら引出口７側に引き出されるに従って上側フィルム部8aが屈折部を介して下側に反転移動し、凹部５の上端外周壁下面に層着している粘着剤層９から剥離しながら軟膏薬収容室６の下端を他端側から徐々に開封していく。
【００２５】
この際、パッド３及び軟膏薬収容室６は凹部５内に収容されていて粘着シート１と成形シート４との対向面による挟圧力が極めて小さく、且つ、帯状封止フィルム８の引出片部8cも上記一定の上下開口幅を有する引出口７に挿入されているので、帯状封止フィルム８を小さな引張力でもって軽快に開封することができる。
【００２６】
こうして、図５に示すように、帯状封止フィルム８が完全に引出口７から外部に引く出されると、図６に示すように、軟膏薬収容室６の上壁面を指先で押圧して下方に撓み変形させることにより、該収容室６内に収容している軟膏薬10をパッド３の上面中央部に付着、塗布させる。しかるのち、粘着シート１に粘着剤層２に貼着するのを離型紙11によって防止されている成形シート４の一端部側から該成形シート４を粘着シート１に対して剥離、除去し（図７参照）、ついで、離型紙11を摘んで軟膏薬塗布パッド３を創傷口等の患部に当てがうと共にこの離型紙11を設けていない粘着シート１の粘着剤層２を該患部の周囲の皮膚面に貼着し、しかるのち、粘着剤層２から離型紙11を剥離しながら該粘着剤層２を皮膚面に貼着するものである。
【００２７】
また、軟膏薬を必要としない場合には、帯状の封止フィルム８を引き剥がすことなく、軟膏薬収納室６を該封止フィルム８により密封したまま成形シート４を除去することにより、軟膏薬収容室６内の軟膏薬が付着、塗布されていないパッド３をそのまま使用することもできると共に、軟膏薬に代えて所望の薬液等を該パッドに含浸させた状態での使用も可能となる。
【００２８】
なお、以上のように構成した救急用絆創膏において、帯状封止フィルム８の上側フィルム部8aを貼着させている凹部５の上端外周壁下面に層着した粘着剤層９としては、その引き剥がし開始端部側の粘着剤層部分を、図３に示すように、軟膏薬収容室６の開封開始端部側に向かって徐々に幅広くなる山形状の粘着剤層部9aに形成しておくことが望ましく、このように形成しておけば、軟膏薬収容室６を密封している帯状封止フィルム８の上側フィルム部8aを剥離する際に、その幅方向の中央から剥離を開始して、簡単且つ正確な剥離が可能となる。
【図面の簡単な説明】
【００２９】
【図１】救急用絆創膏の縦断側面図。
【図２】その斜視図。
【図３】その展開斜視図。
【図４】帯状封止フィルムを引き出している状態の縦断側面図。
【図５】引出し終了後の縦断側面図。
【図６】パッドに軟膏薬を付着、塗布させている状態の縦断側面図。
【図７】患部に貼着する状態を示す縦断側面図。
【符号の説明】
【００３０】
１    粘着シート
２    粘着剤層
３    パッド
４    成形シート
５    凹部
６    軟膏薬収容室
７    引出口
８    帯状封止フィルム
９    粘着剤層
１０    軟膏薬
１１    離型紙
【図１】
2007275302.tif 000003
【図２】
2007275302.tif 000004
【図３】
2007275302.tif 000005
【図４】
2007275302.tif 000006
【図５】
2007275302.tif 000007
【図６】
2007275302.tif 000008
【図７】
2007275302.tif 000009